(57)【要約】【課題】  従来の地震安全装置は、ロックする部材で回動する軸と、引っ掛かる場所からの角度差及び水平巾がない為に、強震の弾みで扉のロックが外れる可能性あります。また部材の一部は特別な加工と仕上げが必要と思われる。ほかには扉をロックまたは解除する場合に操作などが面倒。【解決手段】  ロック装置の部材で、回動する軸と引っ掛かる場所からの角度差及び水平巾を、若干大きく設けることで、強震の弾みでも扉のロックが絶対に外れないように工夫が出来る。また全部材は一般金物店、及びホームセンター等で簡単に購入が出来、あとは部材については、簡単で単純な作業で仕上げることが可能。ロック解除も押しボタン棒を操作することで簡単に出来る。【選択図】図２
2006307610.tif 000002
【特許請求の範囲】
【請求項１】
地震安全装置で、食器戸棚などの扉をロックする部材で、蝶板の回動軸と、引っ掛かる場所からの角度差及び水平巾を、若干大きく設けることで、強震の弾みで扉に押される負荷が掛った場合、角度及び水平巾がゼロになろうとして、蝶板の回動軸に力が加わり内側に回る運動に変化して、扉が押される負荷が強ければ強い程、引っ掛かる力が増大する仕組、ロックが絶対に外れないで、確実に完全ロック出来る装置。
【発明の詳細な説明】
【技術分野】
【０００１】  この発明は地震安全装置で、食器戸棚収納箱の扉などに取付ける、簡単で確実に完全ロック出来、尚且つ解除も簡単に出来る装置に関する内容とする。
【背景技術】
【０００２】  従来の器具は一般金物店、及びホームセンターなどで販売の器具を取付けている戸棚類があります、強震で扉が自動ロックになる機構と、手を添えてロックする機構などがある。【０００３】
【特許文献１】特開平０８−２８４５１１
【特許文献２】登録実用３０１９５４８
食器戸棚などに取付けた扉のロック機構は、特別な押し棒、特別な回動軸になっている。押し棒の孔と、回転軸の孔は若干大きい貫通孔で、尚且つ精密度が必要と思われる。
また回動する軸と、引っ掛かる場所までの角度差及び水平巾がない。
【発明が解決しようとする課題】
【０００４】  以上述べた扉ロック機構の部材は、特別な部品加工仕上げになっている。
また、部材を仕上げるのに時間と費用が負担と思える。
【０００５】  扉開放に使用する押し棒、及び回動軸の貫通孔は若干大きい孔と精密度が必要で、簡単に仕上げが出来ない。
【０００６】  ロック部材で、回動する軸と、引っ掛かる場所までの角度差及び水平巾がない為に、強震の場合に弾みで扉のロックが外れる可能性ある。確実で完全ロックが出来る装置。
【課題を解決するための手段】
【０００７】  そして、本発明は上記目的を達成する為の発明で、ロック及び解除用の全部材は一般金物店、ホームセンターなどで簡単に購入が出来る。また部材は単純加工で仕上がる。
【０００８】  押しボタン棒の入る貫通孔は小さくて良い、また精密度も必要としないので簡単に孔の加工が可能。
【０００９】  食器戸棚などの扉がロックになる部材で回動する軸と、引っ掛かる場所まで水平巾及び角度差を、若干大きく設けることで、強震の弾みで扉内側の品物に押されても扉のロックが絶対に外れない装置が出来る。
【発明の効果】
【００１０】  全ての部材は一般金物店、ホームセンター等で簡単に購入出来、あとは其の部材一部に孔空け、切断、ネジ山など若干の加工で簡単に仕上がる。費用も安値で完成する。
【００１１】  扉のロック及び解除開放ですが、解除は扉板についている取っ手と、扉板に同じ貫通孔にして、その孔に押しボタン棒を差し込み利用することで簡単に解除が出来る。また扉を閉めるのも簡単で、通常操作にて手で押し放すと扉が閉まり、自動的に完全ロックになる。
【００１２】  上記に述べた発明は地震などの揺れに対する内容で、強震で扉内側の品物が押され扉が不用意に開放するのを防ぎ、壊れ物などが外に飛び出し、飛散を防ぎ壊れ物を最小限に防止出来る。また凄く簡単で抜群の効果があり、確実で完全にロック出来る安全装置の提供になる。
【発明を実施するための最良の形態】
【００１３】  以下、本発明に図１〜４に基づいて説明する。【００１４】  図１、（Ｔ１）右の側面。（Ｔ２）前扉。（４）取っ手は（Ｔ２）前扉を開閉する時に手で掴んで操作する、図は（４）取っ手を掴みながら（５）押しボタン棒を親指で押してロックを解除している状態、図３参照。【００１５】  図２、（Ｔ１）右の側面に（Ｔ２）前扉が閉まりロックになっている状態図です。其の扉に（４）取っ手を取付けて、孔は（Ｔ２）前扉と一緒の貫通孔にして、其の孔に（５）押しボタン棒を挿入して、ロック解除用に使用する。（１０）受止め金具は（Ｔ１）右の側面に３箇所の皿木ネジで取付けになっている。（９）蝶板金具の左片方を皿木ネジで（Ｔ２）前扉に取付ける、同じ蝶板金具の右片方を皿ネジで（８）のＬ金具を取付ける。其のＬ金具に（７）引掛け金具を取付ける。（６）ストッパー金具の取付けは、必要以上に戻らないようにする突き当て。（１１）衝撃干渉用ストッパーで図３参照、ストッパーが離れた状態から、初期の状態に戻り、当たるときの衝撃干渉用です。（３）押しバネは常に初期の状態に戻す働きをしています。（Ｔ２）前扉を閉める、其の過程で（７）引掛け金具の先端が、（１２）滑る傾斜面をスライドしながら（１０）受止め金具に引っ掛り、完全にロックになる。（１３）角度差を表現した破線ですが、（９）蝶板の回動する軸と、（７）受止め金具の引っ掛かる場所までの角度で、約１０度位です。同じく（１４）の破線は、（９）蝶板の回動軸と（７）引掛け金具の引っ掛る場所までの水平巾を表現しています、巾は約１５ミリ位です。この角度及び水平巾が最も重要で、強震の弾みで扉内側にある品物が移動して、扉が押されて開く力が働いた場合、（１３）角度差及び（１４）水平巾がゼロになろうとする力が（９）蝶板の軸に加わり、内側、つまり下の方に回る運動として変化します、其の運動の作用で扉が押された場合、押す力が強ければ強い程、（７）引っ掛かる力が増大して、（１０）受止める金具から絶対に外れない仕組になっているのです。この仕組は簡単で、尚且つ確実に、完全ロックになる最大の特徴です。【００１６】  図３、（４）取っ手を掴みながら（５）押しボタン棒を親指で軽く押す事で、（８）Ｌ金具の下の方が押され、（９）蝶板の軸に上の方に回る運動に変化して、（１０）受止め金具から（７）引掛け金具が簡単に外れる仕組です。あとは外れた状態で、（Ｔ２）前扉を引くことで扉が簡単に開放になります。尚この装置は、縦の取付けになっていますが、横または上でも下でも、ほかにはガラス扉にも、工夫次第で簡単に取付けが可能です。【００１７】  図４、扉に取付ける取っ手は各種ありますが、丸い取っ手の場合には、センターに孔を貫通して押しボタン棒用に利用する。それ以外の取っ手には手を添えて親指が具合よく、押せる適当な場所を選んで、孔を貫通して利用する。図面では１０種類を例として記載して置きましたが、ほかにどんな形の取っ手でも問いません。各種数々の取っ手が利用出来ます。
【図面の簡単な説明】
【００１８】
【図１】  扉前の右斜面図
【図２】  扉内側の完全ロックの側面図及び斜面図
【図３】  扉内側のロック解除の側面図
【図４】  例として取っ手１０種類と押しボタン棒の利用図面
【符号の説明】
【００１９】Ｔ１  右の側面
Ｔ２  前扉
３  押しバネ
４  取っ手
５  押しボタン棒
６  ストッパー金具
７  引掛け金具
８  Ｌ金具
９  蝶板金具
１０  受止め金具
１１  衝撃干渉用ストッパー
１２  引掛け金具の滑る傾斜面
１３  角度差を示す破線
１４  蝶板の回動軸と引っ掛る場所の水平破線
【図１】
2006307610.tif 000003
【図２】
2006307610.tif 000004
【図３】
2006307610.tif 000005
【図４】
2006307610.tif 000006
【手続補正書】
【提出日】平成17年6月3日(2005.6.3)
【手続補正１】
【補正対象書類名】明細書
【補正対象項目名】００１１
【補正方法】変更
【補正の内容】
【００１１】  扉ロック及び解除と開放、ロックは、通常の操作にて扉を手で押し放すことで扉が閉まり、自動的に完全ロックになる。解除と開放は、取っ手と扉板を同じ貫通孔にして、その孔に押しボタン棒を挿入、手で取っ手を掴みながら親指でボタンを押すとロックが解除出来、その状態で扉を引くことで開放になる。最も簡単で単純な操作。
【手続補正２】
【補正対象書類名】図面
【補正対象項目名】図２
【補正方法】変更
【補正の内容】
【図２】
2006307610.tif 000007